(57)【要約】【課題】室内の換気を簡易かつ確実に行い、併せて、空気の清浄化を行うことができる扉用換気装置を提供すること。【解決手段】出入口に配置される扉４に形成された通気口４１に、吸引ファン６と、空気浄化フィルタ７とを配設し、扉４の一方側から他方側に空気を流通させるようにする。【選択図】図１
2005290754.tif 000002
【特許請求の範囲】
【請求項１】
出入口に配置される扉に形成された通気口に、吸引ファンと、空気浄化フィルタとを配設し、扉の一方側から他方側に空気を流通させるようにしたことを特徴とする扉用換気装置。
【請求項２】
空気浄化フィルタに光触媒又は酸素触媒をコーティングしたフィルタを用いたことを特徴とする請求項１記載の扉用換気装置。
【請求項３】
光触媒を活性化する光源を設けたことを特徴とする請求項２記載の扉用換気装置。
【請求項４】
光源に発光ダイオードを用いたことを特徴とする請求項３記載の扉用換気装置。
【請求項５】
扉の一方側から吸引ファンにより吸引し、空気浄化フィルタを流通させた空気を、扉の同じ側に放出するようにする空気流路切替機構を設けたことを特徴とする請求項１、２、３又は４記載の扉用換気装置。
【発明の詳細な説明】
【技術分野】
【０００１】
本発明は、扉用換気装置に関し、特に、室内の換気を簡易かつ確実に行うことができる扉用換気装置に関するものである。
【背景技術】
【０００２】
従来、扉に形成された通気口を介して行う室内の換気は、図７に示すように、扉４に形成された通気口４１にガラリと呼ばれる簡易な目隠し部材Ｇを配設し、空気を自然流通させることにより行うようにしていた。
【０００３】
一方、新築やリフォームした住宅において、建材や家具等から発散するホルムアルデヒドやＶＯＣ（トルエン、キシレン等の揮発性有機溶剤）等の揮発性有害物質に起因する、所謂シックハウス症候群が近年問題視されている。
このシックハウス症候群への対策として、建築基準法が平成１５年７月に改正され、使用することのできる建材の規制がなされるとともに、換気装置の設置が義務付けられることとなった。
【０００４】
しかしながら、従来の目隠し部材Ｇを介して空気を自然流通させるだけでは、十分な換気を行うことができず（改正建築基準法に対応できない）、このため、扉に形成された通気口室内の換気は、あくまでも補助的なものとしての意味合いしかなかった。
【発明の開示】
【発明が解決しようとする課題】
【０００５】
本発明は、上記扉に形成された通気口室内の換気方法の現状に鑑み、室内の換気を簡易かつ確実に行い、併せて、空気の清浄化を行うことができる扉用換気装置を提供することを目的とする。
【課題を解決するための手段】
【０００６】
上記目的を達成するため、本発明の扉用換気装置は、出入口に配置される扉に形成された通気口に、吸引ファンと、空気浄化フィルタとを配設し、扉の一方側から他方側に空気を流通させるようにしたことを特徴とする。
【０００７】
この場合において、空気浄化フィルタに光触媒又は酸素触媒をコーティングしたフィルタを用いることができる。
【０００８】
また、光触媒を活性化する光源を設けることができる。
【０００９】
また、光源に発光ダイオードを用いることができる。
【００１０】
また、扉の一方側から吸引ファンにより吸引し、空気浄化フィルタを流通させた空気を、扉の同じ側に放出するようにする空気流路切替機構を設けることができる。
【発明の効果】
【００１１】
本発明の扉用換気装置によれば、出入口に配置される扉に形成された通気口に、吸引ファンと、空気浄化フィルタとを配設し、扉の一方側から他方側に空気を流通させるようにしているので、室内の換気を簡易かつ確実に行い、併せて、空気の清浄化を行うことができる。
特に、この扉用換気装置は、扉に形成された通気口に扉用換気装置を単に配設するだけで、改正建築基準法に対応した換気装置とすることができるため、新設の建造物だけでなく、例えば、既設の建造物であっても、大きな改造等をすることなく導入することができる。
【００１２】
また、空気浄化フィルタに可視光線で活性化する光触媒又は酸素触媒をコーティングしたフィルタを用いることにより、空気の殺菌や消臭を行うことができる。
【００１３】
また、光触媒を活性化する光源を設けることにより、空気の殺菌や消臭を一層効果的に行うことができる。なお、光触媒を活性化する光源の波長は、紫外線に近い波長のものが好ましい。
【００１４】
また、光源に発光ダイオード、例えば、波長の短い発光ダイオード、より具体的には、ピーク波長が４７０ナノメータの青色発光ダイオードを用いることにより、扉用換気装置の電力消費量を少なくするとともに、耐久性を向上し、長期メンテナンスフリー化を図ることができる。
【００１５】
また、扉の一方側から吸引ファンにより吸引し、空気浄化フィルタを流通させた空気を、扉の同じ側に放出するようにする空気流路切替機構を設けることにより、室内の冷暖房効率を高めるようにしたり、感染症の病室等にも対応することができる。
なお、空気流路切替機構は、流通する空気を所定の割合で振り分けることができるように構成することもでき、これにより、改正建築基準法に対応した換気量を維持しながら、冷暖房効率を高めることができる。
【発明を実施するための最良の形態】
【００１６】
以下、本発明の扉用換気装置の実施の形態を、図面に基づいて説明する。
【実施例１】
【００１７】
図１〜図２に、本発明の扉用換気装置の第１実施例を示す。
この実施例は、扉用換気装置１を、引戸枠部材２に沿って移動可能に設けるとともに、枠部材２の一側に形成された戸袋３内に収納可能にした引戸方式の扉４に適用したものである。
なお、本発明の扉用換気装置１は、戸袋３を有しない引戸方式の扉や蝶番を介して取り付けられる揺動方式の扉にも適用することができ、これらを排除するものでない。
【００１８】
扉４の開閉機構は、特に限定されるものはないが、例えば、扉４の上部に備えた吊り車を扉４の閉じ側に向けて傾斜して設置した走行用レール（いずれも、図示省略）に載置し、扉４をその自重によって閉じ方向に付勢するように構成したもの等、任意の機構を採用することができる。
【００１９】
扉用換気装置１は、扉４に形成した通気口４１に配設され、空気流入口５側に吸引ファン６を、空気流出口８側に空気浄化フィルタ７を、それぞれ備え、扉４の一方側（空気流入口５側、例えば、室内Ｒ）から他方側（空気流出口８側、例えば、廊下Ｐ）に空気を流通させるようにしている。
これにより、例えば、室内Ｒから廊下Ｐに空気を流通させて、室内Ｒの換気を簡易かつ確実に行い、併せて、空気の清浄化を行うことができる。
そして、特に、この扉用換気装置１は、扉４に形成された通気口４１に扉用換気装置１を単に配設するだけで、改正建築基準法に対応した換気装置とすることができるため、新設の建造物だけでなく、例えば、既設の建造物であっても、大きな改造等をすることなく導入することができる。
【００２０】
この場合において、吸引ファン６には、改正建築基準法に規定される、１時間当たり室内の空気の半分を入れ替えることができる容量に見合った性能を有する吸引ファンを用いるようにする。
なお、扉４に形成される通気口４１と吸引ファン６の形状に合わせて、吸引ファン６の周囲に閉鎖支持板６１を設けるようにする。
【００２１】
空気浄化フィルタ７には、フィルタを構成するアクリル繊維やポリエステル繊維等の繊維に可視光線で活性化する光触媒又は酸素触媒をコーティングしたフィルタを用いるようにする。
これにより、清浄化と併せて空気の殺菌や消臭を行うことができる。
【００２２】
また、空気浄化フィルタ７の光触媒を活性化するために、適宜位置に光源９を設けることができる。
これにより、空気の殺菌や消臭を一層効果的に行うことができる。
【００２３】
また、光源９には、例えば、波長の短い発光ダイオード、より具体的には、ピーク波長が４７０ナノメータの青色発光ダイオード等の発光ダイオードを好適に用いることができる。
これにより、扉用換気装置１の電力消費量を少なくするとともに、耐久性を向上し、長期メンテナンスフリー化を図ることができる。
なお、光源９には、発光ダイオードのほか、紫外線を発生させるランプ等を用いることもできる。
【００２４】
なお、吸引ファン６及び光源９への電力の供給は、引戸枠部材２から可撓性を有する電源コード（図示省略）を介して行うほか、可動接点方式や無接触給電方式等により行うことができる。
【００２５】
また、本実施例においては、空気流入口５側に吸引ファン６を、空気流出口８側に空気浄化フィルタ７を、それぞれ配設するようにしたが、吸引ファン６と空気浄化フィルタ７の配置を逆にすることもできる。
【実施例２】
【００２６】
図３に、本発明の扉用換気装置の第２実施例を示す。
この実施例の扉用換気装置１は、扉４の一方側（空気流入口５側、例えば、室内Ｒ）から吸引ファン６により吸引し、空気浄化フィルタ７を流通させた空気を、図３（ｂ）に示すように、選択的に扉４の同じ側に形成した空気流戻し出口８ｂから室内Ｒに放出するようにする空気流路切替機構１０を設けるようにしている。
この空気流路切替機構１０は、より具体的には、スリット状に開口する空気流排出口８ａと、この空気流排出口８ａを閉鎖可能とする閉鎖板１１と備え、空気浄化フィルタ７を流通させた空気を、図３（ａ）に示すように、空気流排出口８ａから廊下Ｐに放出するようにする場合と、図３（ｂ）に示すように、閉鎖板１１により空気流排出口８ａを閉鎖して、空気流戻し出口８ｂから室内Ｒに放出するようにする場合とを、選択的に切り替えることができるようにしている。
これにより、室内Ｒの冷暖房効率を高めるようにしたり、感染症の病室等にも対応することができるようにしている。
なお、空気流路切替機構１０は、閉鎖板１１により全部の空気流排出口８ａを一括して半分程度に閉鎖することにより、吸引ファン６により吸引し、空気浄化フィルタ７を流通させた空気を、空気流排出口８ａと空気流戻し出口８ｂとで、所定の割合で振り分けることができるように構成することもでき、これにより、改正建築基準法に対応した換気量を維持しながら、冷暖房効率を高めることができる。この場合、流通する空気の振り分けは、閉鎖板１１を手動によって調節するほか、流通する空気量と室内Ｒの容積等から、改正建築基準法に規定される、１時間当たり室内の空気の半分を入れ替えることができる容量に見合った換気が行われるように、マイクロコンピュータやシーケンサー等によって動作を制御することもできる。
本実施例の扉用換気装置１のその他の構成及び作用は、上記第１実施例と同様である。
【実施例３】
【００２７】
図４〜図５に、本発明の扉用換気装置の第３実施例を示す。
この実施例の扉用換気装置１は、吸引ファン６によって吸引した空気を、鉛直方向に流通させるようにしたもので、これにより、扉４の厚みと比較して、厚みのある吸引ファン６を支障なく配設することができるようにしたものである。
これにより、扉４の厚みが小さい場合や広い室内Ｒの空気を換気する場合においても、十分な吸引性能をもったファンを配設することができる。
また、本実施例の扉用換気装置１は、吸引ファン６の下方（又は上方）に配設するようにした空気浄化フィルタ７に、２種類のフィルタ（具体的には、上流側のフィルタ７ａに粗目のフィルタを、下流側のフィルタ７ｂに細目のフィルタを使用したり、上流側のフィルタ７ａにフィルタの繊維に光触媒又は酸素触媒をコーティングしたフィルタを、下流側のフィルタ７ｂに通常のフィルタを使用する等、異なる種類のフィルタを組み合わせることができる。）を積層したもの用いるようにしている。
本実施例の扉用換気装置１のその他の構成及び作用は、上記第１実施例と同様である。
【実施例４】
【００２８】
図６に、本発明の扉用換気装置の第４実施例を示す。
この実施例の扉用換気装置１は、上記第３実施例と同様、吸引ファン６によって吸引した空気を、鉛直方向に流通させるようにするとともに、吸引ファン６の下方（又は上方）に配設するようにした空気浄化フィルタ７に、２種類のフィルタ７ａ、７ｂを積層したもの用いるようにしている。
また、本実施例の扉用換気装置１は、空気浄化フィルタ７の下方（又は上方）に、支軸１０ａを揺動中心として揺動して空気流排出口８ａ側の内壁１３ａ又は空気流戻し出口８ｂ側の内壁１３ｂに選択的に当接する揺動板１２よりなる空気流路切替機構１０を配設し、空気浄化フィルタ７を流通させた空気を、図６（ａ）に示すように、空気流排出口８ａから廊下Ｐに放出するようにする場合と、図６（ｂ）に示すように、空気流戻し出口８ｂから室内Ｒに放出するようにする場合とを、選択的に切り替えることができるようにしている。
なお、空気流路切替機構１０は、揺動板１２を図６（ｂ）の一点鎖線で示すように中間位置に位置させることにより、空気流排出口８ａと空気流戻し出口８ｂとで、流通する空気を所定の割合で振り分けることができるように構成することもでき、これにより、改正建築基準法に対応した換気量を維持しながら、冷暖房効率を高めることができる。
本実施例の扉用換気装置１のその他の構成及び作用は、揺動板１２の動作の制御も含め、上記第１実施例及び第２実施例と同様である。
【００２９】
以上、本発明の扉用換気装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３０】
本発明の扉用換気装置は、室内の換気を簡易かつ確実に行い、併せて、空気の清浄化を行うことができるとともに、扉に形成された通気口に扉用換気装置を単に配設するだけで、改正建築基準法に対応した換気装置とすることができるため、新設の建造物だけでなく、例えば、既設の建造物であっても、大きな改造等をすることなく導入することができる。
【図面の簡単な説明】
【００３１】
【図１】本発明の扉用換気装置の第１実施例を示す正面図である。
【図２】図１のＸ−Ｘ線の断面図である。
【図３】図１のＸ−Ｘ線の断面図を示し、（ａ）は空気流路切替機構により空気を廊下に放出する場合を、（ｂ）は室内側に放出する場合を示す。
【図４】本発明の扉用換気装置の第２実施例を示す正面図である。
【図５】図４のＹ−Ｙ線の断面図である。
【図６】図４のＹ−Ｙ線の断面図を示し、（ａ）は空気流路切替機構により空気を廊下に放出する場合を、（ｂ）は室内側に放出する場合を示す。
【図７】従来の扉用換気装置を示す正面図である。
【符号の説明】
【００３２】
１    扉用換気装置
２    引戸枠部材
３    戸袋
４    扉
４１  通気口
５    空気流入口
６    吸引ファン
７    フィルタ
８    空気流出口
８ａ  空気流排出口
８ｂ  空気流戻し出口
９    光源
１０  切替機構
１１  閉鎖板
１２  揺動板
【図１】
2005290754.tif 000003
【図２】
2005290754.tif 000004
【図３】
2005290754.tif 000005
【図４】
2005290754.tif 000006
【図５】
2005290754.tif 000007
【図６】
2005290754.tif 000008
【図７】
2005290754.tif 000009